(57)【要約】【課題】容易に情報を提供することができる情報提供システム、及び情報提供方法を提供する。【解決手段】情報提供システムは、発券機１と上位装置３とを具備する情報提供システムであって、前記発券機１は、入力される操作に基づいて乗車券情報を作成し、前記作成された乗車券情報を前記上位装置３に送信する。前記上位装置３は、前記発券機１から送信される乗車券情報を記憶し、記憶した乗車券情報に応じて外部のサーバにサイト作成を要求して作成されたサイトのＵＲＬを取得し、取得したＵＲＬを前記発券機１に通知する。前記発券機１は、前記上位装置３から通知されるＵＲＬを二次元コードに変換し、前記作成された乗車券情報に基づいて乗車券を発行し、前記変換された二次元コードを媒体に印字してレシートを発行する。【選択図】      図１
2010134783.tif 000002
【特許請求の範囲】
【請求項１】
発券機と上位装置とを具備する情報提供システムであって、
前記発券機は、
操作入力を受け付ける為の操作入力手段と、
前記操作入力手段による操作に基づいて乗車券情報を作成する乗車券情報作成手段と、
前記乗車券情報作成手段により作成された乗車券情報を前記上位装置に送信する乗車券情報送信手段と、
前記上位装置から通知されるＵＲＬを二次元コードに変換する変換手段と、
前記乗車券情報作成手段により作成された乗車券情報に基づいて乗車券を発行する乗車券発行手段と、
前記変換手段により変換された二次元コードを媒体に印字してレシートを発行するレシート発行手段と、
を具備し、
前記上位装置は、
前記発券機から送信される乗車券情報を記憶する記憶手段と、
前記記憶手段に記憶されている乗車券情報に応じて外部のサーバにサイト作成を要求して作成されたサイトのＵＲＬを取得するＵＲＬ取得手段と、
前記ＵＲＬ取得手段により取得したＵＲＬを前記発券機に通知する通知手段と、
を具備することを特徴とする情報提供システム。
【請求項２】
改札機をさらに具備し、
前記改札機は、
前記発券機により発行された乗車券に対して改札処理を行う改札手段と、
前記改札手段による改札処理の結果を前記上位装置に送信する改札結果送信手段と、
を具備し、
前記上位装置の前記記憶手段は、前記改札機から送信される改札処理の結果を追加的に記憶することを特徴とする請求項１に記載の情報提供システム。
【請求項３】
前記上位装置は、
前記発券機から乗車券情報を受信した場合、パスワードを生成するパスワード生成手段をさらに具備し、
前記記憶手段は、前記パスワード生成手段により生成されたパスワードを追加的に記憶し、
前記通知手段は、前記ＵＲＬ取得手段により取得したＵＲＬと前記パスワード生成手段により生成されたパスワードとを前記発券機に通知し、
前記発券機の前記レシート発行手段は、前記変換手段により変換された二次元コードと前記上位装置から通知されるパスワードとを媒体に印字してレシートを発行する、
ことを特徴とする請求項１に記載の情報提供システム。
【請求項４】
操作に基づいて乗車券情報を作成し、
前記作成された乗車券情報を記憶し、
前記記憶されている乗車券情報に応じて外部のサーバにサイト作成を要求して作成されたサイトのＵＲＬを取得し、
前記取得したＵＲＬを二次元コードに変換し、
前記作成された乗車券情報に基づいて乗車券を発行し、
前記変換された二次元コードを媒体に印字してレシートを発行する
ことを特徴とする情報提供方法。
【発明の詳細な説明】
【技術分野】
【０００１】
本発明は、利用者に種々の情報の提供を行なう情報提供システム、及び情報提供方法に関する。
【背景技術】
【０００２】
鉄道各社の駅には、各種の駅務処理を行なう駅務機器が設置されている。このような駅務機器では、入場券、定期券、乗車券、ストアードフェアカード（ＳＦカード）などの情報記憶媒体に対して種々の処理が行われる。
【０００３】
近年、情報記憶媒体として、駅務機器と無線でデータの送受信を行なうことにより、種々の処理を受けることができるＩＣ（Ｉｎｔｅｇｒａｔｅｄ  Ｃｉｒｃｕｉｔ）を有したＩＣ乗車券などが普及しつつある。
【０００４】
また、ＩＣカードなどに記憶する乗車券情報に基づいて二次元コードを生成する技術がある。これを用いて、二次元コードの画像を利用者の所持する携帯端末などに送信し、乗車券として用いる技術が提供されている（例えば、特許文献１参照）。
【特許文献１】特開２００６−５９２４９号公報
【発明の開示】
【発明が解決しようとする課題】
【０００５】
近年、ＩＣを有する定期券及びストアードフェアカードの普及が進んでおり、ＩＣ乗車券専用の改札機も運用されている。しかし、ＩＣ乗車券は、内部のＩＣに残額情報を記憶する。この為、外部から残額情報、または利用履歴などを確認する場合、ＩＣの記憶内容を専用のリーダに読み取らせて確認する必要がある。
【０００６】
そこで、サーバ内で残額情報を管理し、ＰＣなどからのアクセスに応じて残額情報を利用者に通知する残額確認サービスなどが実現されている。しかし、このようなサービスでは、残額確認をするために、ＰＣにより所定のウェブサイトにアクセスし、ＩＤを入力するなどの煩雑な操作を行う必要がある。
【０００７】
そこで、本発明の一形態における目的は、容易に情報を提供することができる情報提供システム、及び情報提供方法を提供することにある。
【課題を解決するための手段】
【０００８】
本発明の一実施形態に係る情報提供システムは、発券機と上位装置とを具備する情報提供システムであって、前記発券機は、操作入力を受け付ける為の操作入力手段と、前記操作入力手段による操作に基づいて乗車券情報を作成する乗車券情報作成手段と、前記乗車券情報作成手段により作成された乗車券情報を前記上位装置に送信する乗車券情報送信手段と、前記上位装置から通知されるＵＲＬを二次元コードに変換する変換手段と、前記乗車券情報作成手段により作成された乗車券情報に基づいて乗車券を発行する乗車券発行手段と、前記変換手段により変換された二次元コードを媒体に印字してレシートを発行するレシート発行手段と、を具備し、前記上位装置は、前記発券機から送信される乗車券情報を記憶する記憶手段と、前記記憶手段に記憶されている乗車券情報に応じて外部のサーバにサイト作成を要求して作成されたサイトのＵＲＬを取得するＵＲＬ取得手段と、前記ＵＲＬ取得手段により取得したＵＲＬを前記発券機に通知する通知手段と、を具備する。
【０００９】
また、本発明の一実施形態に係る情報提供方法は、操作に基づいて乗車券情報を作成し、前記作成された乗車券情報を記憶し、前記記憶されている乗車券情報に応じて外部のサーバにサイト作成を要求して作成されたサイトのＵＲＬを取得し、前記取得したＵＲＬを二次元コードに変換し、前記作成された乗車券情報に基づいて乗車券を発行し、前記変換された二次元コードを媒体に印字してレシートを発行する。
【発明の効果】
【００１０】
この発明の一形態によれば、容易に情報を提供することができる情報提供システム、及び情報提供方法を提供することができる。
【発明を実施するための最良の形態】
【００１１】
以下、図を参照しながら、本発明の一実施形態に係る情報提供システム、及び情報提供方法について詳細に説明する。
【００１２】
図１は、本発明の一実施形態に係る情報提供システム１００の構成例について説明する為の図である。情報提供システム１００は、定期券発行機１（発券機）、改札機２、ＩＤサーバ３、インターネットサーバ４、及び携帯端末５などを備えている。
【００１３】
改札機２は、鉄道などの交通機関における改札処理を行なう。定期券発行機１は、改札機２で処理する乗車券情報を記憶したＩＣカード７（乗車券）を発行する。ＩＤサーバ３は、定期券発行機１及び改札機２から送信される情報に基づいてデータベースを作成し保持する。インターネットサーバ４は、利用者に提供するためのＷＥＢサイトのデータ（ＨＴＭＬデータ）を保持する。携帯端末５は、利用者の所持する端末装置であり、撮像機能及びＷＥＢアクセス機能を備えている。
【００１４】
定期券発行機１は、駅の係員の操作に応じて、ＩＣカード７の新規発行、または更新を行う。即ち、定期券発行機１は、係員により入力される利用者情報、及び定期券情報に基づいてＩＣカード７の発行を行う。また、定期券発行機１は、利用者情報、及び定期券情報をＩＤサーバ３に送信する。
【００１５】
改札機２は、駅の改札口などに設置され、改札口で利用者の所持するＩＣカード７に対して改札処理を行なう。有効な乗車券情報（定期券情報を含む）が記憶されたＩＣカード７が改札機２のＩＣカード処理部に翳された場合、改札機２は、ＩＣカード７を所持する利用者の通行を許可する。改札機２は、ＩＣカード７を処理した場合、残額情報及び利用履歴をＩＤサーバ３に送信する。
【００１６】
ＩＤサーバ３は、電鉄会社の管理センタなどに設置されている。ＩＤサーバ３は、定期券発行機１及び改札機２から送信される情報に基づいてデータベースを作成し、保持する。ＩＣカードは、それぞれ固有の識別情報（ＩＤ番号）を有している。即ち、ＩＤサーバ３は、定期券発行機１から送信される利用者情報、及び定期券情報をＩＤ番号に対応付けて記憶する。また、ＩＤサーバ３は、改札機２から送信される残額情報及び利用履歴をＩＤ番号に対応付けて記憶する。またさらに、ＩＤサーバ３は、Ｐａｓｓｗｏｒｄ（Ｐａｓｓ）を乱数などにより生成する。ＩＤサーバ３は、生成したＰａｓｓをＩＤ番号に対応付けて記憶する。
【００１７】
ＩＤサーバ３は、新たに利用者情報及び定期券情報を記憶した場合、インターネットサーバ４に対してＨＴＭＬデータ作成要求とＰａｓｓとを送信する。
【００１８】
インターネットサーバ４は、利用者に提供するためのＷＥＢサイトのデータ（ＨＴＭＬデータ）を記憶する。インターネットサーバ４は、ＩＤサーバ３から受信した情報に基づいて、個人ごとにサイトを作成する。
【００１９】
例えば、インターネットサーバ４は、残額照会の為のページ、履歴照会の為のページ、再発行申請の為のページ、時刻表のページ、及び、駅周辺の情報のページなどを作成して記憶している。また、インターネットサーバ４は、受信したＩＤ番号及びＰａｓｓによりログイン可能なログインページを作成する。なお、逐次変化するデータを含むページ（例えば、残額照会の為のページ及び履歴照会の為のページ）については、ＩＤサーバ３に記憶されているデータを参照してページ内に組み込む構成とする。
【００２０】
インターネットサーバ４は、個人ごとにサイトを作成した場合、作成したサイトの、例えばログインページのＵＲＬ（Ｕｎｉｆｏｒｍ  Ｒｅｓｏｕｒｃｅ  Ｌｏｃａｔｏｒ）をＩＤサーバ３に通知する。
【００２１】
ＩＤサーバ３は、受信したＵＲＬをデータベースに追加する。ＩＤサーバ３は、ＵＲＬ及びＰａｓｓを定期券発行機１に送信する。
【００２２】
定期券発行機１は、係員により入力される利用者情報、及び定期券情報に基づいてＩＣカード７の発行を行うとともに、ＩＤサーバ３から受信したＵＲＬ及びＰＡＳＳに基づいてレシート６の発行を行う。
【００２３】
レシート６には、図２に示すように、ＵＲＬを示す文字列６１、Ｐａｓｓを示す文字列６２、及び、ＵＲＬの情報が暗号化（符号化）されて二次元コードに変換されたイメージ６３が印刷されている。また、二次元コードにＩＤを含むようにしてもよい。
【００２４】
携帯端末５は、利用者の所持する携帯電話などの端末である。携帯端末５は、インターネットを介してインターネットサーバ４とデータの通信を行なうことができる。また、携帯端末５は、レシート６に印刷されている二次元コードのイメージ６３を撮像し、二次元コードの元のＵＲＬを認識することが出来る。
【００２５】
即ち、携帯端末５は、二次元コードから読み取ったＵＲＬのサイトにアクセスすることができる。また、携帯端末５は、読み取ったＵＲＬのサイト上でＰａｓｓを入力することによりログインすることができる。ログイン状態である場合、携帯端末５は、読み取ったＵＲＬのサイト内の種々の情報を取得することができる。
【００２６】
定期券発行機１により発行されたＩＣカード７は、内部メモリ７ａを有している。ＩＣ乗車券として機能するＩＣカード７の内部メモリ７ａには、鉄道などの交通機関を利用する為の乗車券情報が記憶されている。内部メモリ７ａは、例えば、ＩＤ番号、有効期間、有効区間、残額情報、及び利用履歴などを記憶する。
【００２７】
ＩＣカード７に記憶されているＩＤ番号は、ＩＣカード固有の情報である。改札機２などの駅務機器は、ＩＤ番号を用いてＩＣカードから読み取った情報を識別する。有効期間は、ＩＣカード７を定期券として利用することが可能な期間を示す情報である。有効区間は、ＩＣカード７を定期券として利用することが可能な区間を示す情報である。残額情報は、料金の精算に利用可能な金額を示す情報である。利用履歴は、改札を通過した履歴を示す情報である。ＩＤ番号はＩＣカード７の券面にも印字されている。
【００２８】
図３は、図１に示す定期券発行機１の構成例について説明するためのブロック図である。  
図３に示すように、定期券発行機１は、制御部１１、表示部１２、操作入力部１３、ＩＣリーダライタ１４、発行部１５、印刷部１６、及び通信部１７などを有している。
【００２９】
制御部１１は、定期券発行機１全体の制御を司るものである。制御部１１は、ＣＰＵ、ＣＰＵの作業領域として機能するバッファメモリ、ＣＰＵが実行する種々のプログラムや制御データなどが記憶されているプログラムメモリなどを備えている。制御部１１は、ＣＰＵがプログラムを実行することにより種々の機能を実現している。
【００３０】
表示部１２は、各種の処理結果、および、係員への案内表示などを表示する表示装置である。操作入力部１３は、ＩＣカード７などの定期券を発行するために必要な情報の入力を受け付ける操作入力手段である。係員は、操作入力部１３により種々の操作を入力する。なお、表示部１２及び操作入力部１３は、タッチパネル内蔵の表示装置により一体に形成されていてもよい。
【００３１】
ＩＣリーダライタ１４は、ＩＣカード７に対して処理を行なうものである。ＩＣリーダライタ１４は、例えば、利用者から受け取ったＩＣカードに対する更新処理、または、定期券発行機１内にストックされているＩＣカードに対する発行処理を行う。
【００３２】
ＩＣリーダライタ１４は、カードスロット（図示せず）を有している。ＩＣリーダライタ１４は、カードスロット内に挿入されたＩＣカード７と無線通信を行なう為のアンテナを有している。ＩＣカードスロットにＩＣカード７が挿入されると、ＩＣリーダライタ１４は、制御部１１からの指示に基づいて、電波を発する。これにより、ＩＣリーダライタ１４は、ＩＣカード７の記憶内容を読み取る、またはデータを書き込むなどの処理を行う。
【００３３】
発行部１５は、操作入力部１３により入力された乗車券情報と利用者情報とをＩＣカード７の内部メモリ７ａに記憶し発行する発行手段である。またさらに、係員が利用者から貨幣を預かり、預かった貨幣の金額に応じた残額情報を、ＩＣカード７の内部メモリ７ａに記憶してもよい。
【００３４】
印刷部１６は、制御部１１の制御に基づいて、例えば紙などの媒体に印刷を行い、レシート６を発行する。制御部１１は、ＩＤサーバ３から受信するＵＲＬを暗号化（符号化）し２次元コードのイメージ６３を生成する。印刷部１６は、制御部１１は、ＩＤサーバ３から受信する
通信部１７は、ＩＤサーバ３とデータの通信を行なう為の外部通信ユニットである。定期券発行機１は、通信部１７により、利用者情報及び定期券情報をＩＤサーバ３に送信する。
【００３５】
図４は、図１に示す自動改札機２の構成例について説明するためのブロック図である。  
図４に示すように、改札機２は、制御部２１、ＩＣカード処理部２３、メモリ２６、通信部２７、通行制御部２８、及び表示部２９などを有している。
【００３６】
制御部２１は、改札機２全体の制御を司るものである。制御部２１は、ＣＰＵ、ＣＰＵの作業領域として機能するバッファメモリ、ＣＰＵが実行する種々のプログラムや制御データなどが記憶されているプログラムメモリなどから構成される。制御部２１では、ＣＰＵがプログラムを実行することにより種々の機能を実現している。
【００３７】
ＩＣカード処理部２３は、利用者が所持するＩＣカード７を処理するものである。ＩＣカード処理部２３は、送受信部２４を有している。送受信部２４は、例えば、アンテナなどで構成され、ＩＣカード７との電波の送受信を行なうためのものである。送受信部２４は、アンテナからの電波が届く範囲である送受信可能エリア２５内に存在するＩＣカードを検知し、通信を行なう。即ち、ＩＣカード処理部２３は、読取手段として機能する。
【００３８】
ＩＣカード処理部２３は、制御部２１からの指示に基づいて、送受信部２４を介して送受信可能エリア２５内に存在するＩＣカード７から少なくとも識別情報を含む乗車券情報を読み取る。
【００３９】
また、ＩＣカード処理部２３は、ＩＣカード７に対してデータを書き込む書込処理を行なう。ＩＣカード処理部２３は、書込処理を行なう際、ＩＣカード７からデータの書き込み完了を示すコマンドを受信したか否かに基づいて、書込処理が完了したか否かを判定する。
【００４０】
メモリ２６は、精算処理に必要な運賃情報などを記憶している。通信部２７は、サーバ３とデータの通信を行なう為の外部通信ユニットである。
【００４１】
通行制御部２８は、利用者の通行を制御するものである。通行制御部２８は、例えば、利用者の通行を阻止するドア（図示せず）、このドアを制御するドア開閉機構（図示せず）などから構成されている。また、改札機２は、当該改札機２内を通過する人を検知するセンサ（図示せず）を有している。通行制御部２８は、センサの検知結果に基づいてドアの開閉のタイミングを制御している。表示部２９は、利用者への案内表示などを表示する表示装置などから構成されている。
【００４２】
次に制御部２１が有している種々の機能について説明する。  
制御部２１は、ＩＣカード処理部２３により読み取ったＩＣカード７に記憶されている定期券情報（乗車券情報）を読み取る処理を行なう。また、制御部２１は、ＩＣカード７から読み取った乗車券情報に基づいて利用者の通行の可否を判定する処理を行なう。即ち、まず制御部２１は、ＩＣカード７から読み取った乗降履歴に基づいて、引去り額（運賃）を算出する。次に、制御部２１は、算出した引去り額とＩＣカード７から読み取った残額情報とを比較し、比較した結果に基づいて利用者の通行の可否を判定する。
【００４３】
さらに、制御部２１は、ＩＣカード７の乗車券情報を書き換える処理を行なう。つまり、制御部２１は、ＩＣカード７に記憶されている残額情報の金額を、算出した引去り額を引いた額に書き換えると同時に、最新の利用履歴を書き込む書込処理を行なう。即ち、制御部２１は、ＩＣカード７から読み取った乗車券情報に基づいて改札処理を行ない、処理後の乗車券情報をＩＣカード７に書き込む書込手段として機能する。
【００４４】
またさらに、制御部２１は、ＩＣカード７から読み取った識別情報と、書込処理により書き込んだ残額情報及び最新の乗降履歴を通信部２７によりＩＤサーバ３に送信する。即ち、通信部２７は、ＩＣカード７に書き込む乗車券情報をサーバ３に送信する送信手段として機能する。
【００４５】
図５は、図１に示すＩＤサーバ３に記憶されているデータの構成例について説明する為の説明図である。
【００４６】
上述したように、ＩＤサーバ３は、定期券発行機１及び改札機２から送信される情報に基づいてデータベースを作成する。即ち、ＩＤサーバ３は、図５に示すように、定期券発行機１から受信する利用者情報及び定期券情報、改札機２から送信される残額情報及び利用履歴、並びに、ＵＲＬ及びＰａｓｓをＩＤ番号に対応付けて記憶する。
【００４７】
ＩＤサーバ３は、図示しない制御部、記憶部、及び通信部などを有している。  
ＩＤサーバ３は制御部の制御に基づいて動作する。制御部は、ＣＰＵ、ＣＰＵの作業領域として機能するバッファメモリ、ＣＰＵが実行する種々のプログラムや制御データなどが記憶されているプログラムメモリなどから構成される。ＩＤサーバ３の制御部は、プログラムメモリに記憶されているプログラムを実行することにより、Ｐａｓｓを生成する。
【００４８】
ＩＤサーバ３の記憶部は、上述したようなデータベースを記憶する。ＩＤサーバ３の記憶部により記憶されているデータベースは、改札機２からデータを受信した場合、逐次、残額情報及び利用履歴を更新する。
【００４９】
ＩＤサーバ３の通信部は、定期券発行機１及び改札機２と通信を行なうものである。通信部は、ＬＡＮなどにより定期券発行機１及び改札機２と接続されている。通信部は、定期券発行機１及び改札機２と種々の情報の授受を行う。また、通信部は、インターネットサーバ４とＬＡＮなどにより接続されている。利用者が携帯端末５によりインターネットサーバ４の所定のサイトにログイン状態である場合、ＩＤサーバ３は、インターネットサーバ４からの要求に応じて残額情報、利用履歴、及び定期券情報などをインターネットサーバ４に送信する。
【００５０】
図６は、図１に示す携帯端末５の構成例について説明するためのブロック図である。  
図６に示すように、携帯端末５は、制御部５１、操作入力部５２、表示部５３、撮像部５４、及び通信部５５などを有している。  
制御部５１は、携帯端末５全体の制御を司るものである。制御部５１は、ＣＰＵ、ＣＰＵの作業領域として機能するバッファメモリ、ＣＰＵが実行する種々のプログラムや制御データなどが記憶されているプログラムメモリなどから構成される。制御部５１では、ＣＰＵがプログラムを実行することにより種々の機能を実現している。
【００５１】
操作入力部５２は、携帯端末５の操作者（利用者）の操作入力を携帯端末５の各部の動作に反映させる為のインターフェースである。表示部５３は、液晶ディスプレイなどの表示装置により構成され、制御部５１による制御に基づいて種々の画面を表示させる。
【００５２】
撮像部５４は、画像を取得する。撮像部５４は、例えば、ＣＭＯＳ、またはＣＣＤなどのセンサにより構成されるカメラである。撮像部５４は、制御部５１の制御に応じて、所定範囲の画像を取得する。例えば、撮像部５４により二次元コードを含む画像を取得した場合、制御部５１は、二次元コードから種々の情報を抽出する。
【００５３】
通信部５５は、図示しないアンテナを有する。制御部５１は、通信部５５によりインターネットに接続し、様々なＷＥＢサイトにアクセスすることができる。即ち、二次元コードから抽出した情報がＵＲＬである場合、携帯端末５は、ＵＲＬへの接続を利用者に確認し、通信部５５によりＵＲＬが示すサイトにアクセスすることができる。
【００５４】
また、二次元コードにＩＤ番号が含まれている場合、携帯端末５は、アクセス要求と併せてＩＤ番号をインターネットサーバ４に送信することができる。これにより、ＩＤ番号を入力する必要がなくなる。
【００５５】
図７は、図１に示す情報提供システム１００の各構成において行われる処理を説明するためのシーケンスである。
【００５６】
定期券の発行、または更新を行う場合、定期券発行機１は、操作入力部１３に入力される操作に応じて、定期券の発行に必要な利用者情報及び定期券情報を作成する（ステップＳ１１）。
【００５７】
定期券発行機１は、通信部１７により、利用者情報及び定期券情報をＩＤサーバ３に送信する（ステップＳ１２）。
【００５８】
ＩＤサーバ３は、定期券発行機１から送信される利用者情報及び定期券情報をＩＤ番号毎に保存する（ステップＳ１３）。
【００５９】
ＩＤサーバ３は、Ｐａｓｓｗｏｒｄ（Ｐａｓｓ）を乱数などにより生成し、ＩＤ番号に対応付けて記憶する（ステップＳ１４）。
【００６０】
ＩＤサーバ３は、新たに利用者情報及び定期券情報を記憶した場合、インターネットサーバ４に対してＨＴＭＬデータ作成要求とＰａｓｓとを送信する（ステップＳ１５）。
【００６１】
インターネットサーバ４は、ＩＤサーバ３から受信した場合、ＨＴＭＬデータを作成する１６情報に基づいて、個人ごとにサイトを作成する（ステップＳ１６）。例えば、インターネットサーバ４は、残額照会の為のページ、利用履歴照会の為のページ、再発行申請の為のページ、時刻表のページ、駅周辺の情報のページ、及びこれらのページへのアクセスを制限する為のログインページなどを作成する。
【００６２】
インターネットサーバ４は、作成したＨＴＭＬデータを保存する（ステップＳ１７）。
【００６３】
インターネットサーバ４は、作成したログインページのＵＲＬをＩＤサーバ３に通知する（ステップＳ１８）。
【００６４】
ＩＤサーバ３は、受信したＵＲＬをＩＤ番号に対応付けて記憶する（ステップＳ１９）。
【００６５】
ＩＤサーバ３は、上記のステップにおいてデータベースに追加したＩＤ番号に対応付けられているＵＲＬ及びＰａｓｓを定期券発行機１に送信する（ステップＳ２０）。
【００６６】
定期券発行機１は、ＩＣカード７及びレシート６の発行を行う。即ち、定期券発行機１は、利用者情報、及び定期券情報に基づいてＩＣカード７の発行を行う。定期券発行機１は、ＩＤサーバ３から受信したＵＲＬに基づいて二次元コードを生成し、ＵＲＬを示す文字列６１、Ｐａｓｓを示す文字列６２、及びイメージ６３をレシートの一面に印字して発行する。
【００６７】
上記した処理により、情報提供システム１００は、係員により入力された利用者情報及び定期券情報を記憶するＩＣカード７を発行し、利用者情報及び定期券情報に関するサイトをインターネットサーバ４に作成し、利用者情報及び定期券情報、並びにインターネットサーバ４内に作成されたサイトのＵＲＬをＩＤサーバ３に記憶し、ＵＲＬ及びＰａｓｓが印字されたレシートを発行することができる。
【００６８】
また、情報提供システム１００は、改札機２によりＩＣカード７を処理した場合、残額情報及び最新の乗降履歴をＩＤサーバ３に送信する。これにより、ＩＤサーバ３は、ＩＣカード毎に最新の残額情報及び利用履歴を保持する。
【００６９】
図８は、図１に示す情報提供システム１００の各構成において行われる処理を説明するためのシーケンスである。
【００７０】
本実施形態に係る情報提供システムを利用する場合、携帯端末５は、利用者の操作入力に基づいてレシート６のイメージ６３を撮像し、二次元コードを読み取る（ステップＳ３１）。これにより、携帯端末５は、読み取った二次元コードを解析し、二次元コードに格納されているインターネットサーバ４に保持されているログインページのＵＲＬを取得する。
【００７１】
携帯端末５は、取得したＵＲＬへのアクセス要求をインターネットサーバ４に送信する（ステップＳ３２）。
【００７２】
インターネットサーバ４は、アクセス要求に応じて、受信したＵＲＬに格納されているログインページのＨＴＭＬデータを読み出す（ステップＳ３３）。インターネットサーバ４は、読み出したＨＴＭＬデータを携帯端末５に送信する（ステップＳ３４）。
【００７３】
携帯端末５は、ＨＴＭＬデータを受信すると、図９に示すようなログインページの画面を表示する（ステップＳ３５）。図９は、利用者にＩＤ及びＰａｓｓを入力させる為のログイン画面である。ログイン画面にはＩＤ入力欄９１、Ｐａｓｓ入力欄９２、及びログインボタンが表示される。携帯端末５は、操作入力部５２により入力される操作に応じてＩＤ入力欄９１及びＰａｓｓ入力欄９２にＩＤ及びＰａｓｓを入力する（ステップＳ３６）。ログインボタン９３が選択される場合、携帯端末５は、ＩＤ入力欄９１及びＰａｓｓ入力欄９２に入力されているＩＤ及びＰａｓｓをインターネットサーバ４に暗号通信により送信する（ステップＳ３７）。
【００７４】
インターネットサーバ４は、受信したＩＤ及びＰａｓｓに基づいてログイン処理を行う（ステップＳ３８）。即ち、インターネットサーバ４は、ログイン画面のＨＴＭＬデータを作成時にＩＤサーバ３から受け取ったＩＤ及びＰａｓｓと一致するか否か照合を行う。ログインが正常に完了した場合、インターネットサーバ４は、メニュー画面のＨＴＭＬデータを読み出す（ステップＳ３９）。インターネットサーバ４は、読み出したＨＴＭＬデータを携帯端末５に送信する（ステップＳ４０）。
【００７５】
携帯端末５は、ＨＴＭＬデータを受信すると、図１０に示すようなメニュー画面を表示する（ステップＳ４１）。図１０は、利用者にメニューを選択させる為のメニュー画面である。メニュー画面には「履歴照会＆残額照会」、「再発行申請」、「時刻表」、及び「周辺検索」などの文字列が表示される。各文字列は、それぞれ、「履歴照会＆残額照会ページ」、「再発行申請ページ」、「時刻表ページ」、及び「周辺検索ページ」などのＨＴＭＬデータのＵＲＬが埋め込まれている。
【００７６】
メニュー画面を表示した状態で操作が入力された場合（ステップＳ４２）。携帯端末５は、操作により選択された文字列に埋め込まれたＵＲＬのページへのアクセス要求をインターネットサーバ４に送信する（ステップＳ４３）。ここでは、例えば、「履歴照会＆残額照会」が選択されたと仮定する。
【００７７】
インターネットサーバ４は、アクセス要求に応じて、受信したＵＲＬに格納されているログインページのＨＴＭＬデータを読み出すと同時に、ＩＤサーバ３に記憶されているデータの参照を行う（ステップＳ４４）。インターネットサーバ４は、ＩＤサーバ３から取得した残額情報及び利用履歴などの情報を読み出したＨＴＭＬデータに組み込み、履歴照会＆残額照会画面のＨＴＭＬデータを作成する（ステップＳ４５）。インターネットサーバ４は、作成したＨＴＭＬデータを携帯端末５に送信する（ステップＳ４６）。
【００７８】
携帯端末５は、ＨＴＭＬデータを受信すると、図１１に示すような履歴照会＆残額照会画面を表示する（ステップＳ４７）。図１１は、利用者に残額情報及び利用履歴を提供する為の履歴照会＆残額照会画面である。履歴照会＆残額照会画面にはＩＣカード７に残っている金額の情報（残額情報）を表示する表示欄１１１、利用履歴を表示する表示欄１１２、及び他のページへのリンク１１３などが表示される。
【００７９】
表示欄１１１に表示される残額は、ＩＤサーバ３に格納されている残額情報に基づいて表示された情報であり、最新のものが表示される。また、表示欄１１２には、利用月日、入場駅、出場駅、及び料金などの情報が表示される。
【００８０】
上記したように、本実施形態に係る情報提供システムは、利用者情報及び定期券情報をＩＤサーバに登録するとともに、ＩＣカード発行時にインターネットサーバにユニークな情報提供サイトを作成する。情報提供システムは、作成したサイトのＵＲＬを二次元コードのイメージに変換し、変換したイメージ、ＵＲＬ、及びＰａｓｓをレシートに印字して発行する。
【００８１】
携帯端末により二次元コードを読み取った場合、携帯端末は、ＵＲＬを認識する。携帯端末は、認識したＵＲＬに基づいてインターネットサーバにアクセスし、Ｐａｓｓを送信する。インターネットサーバは、ＩＤサーバに格納されているＰａｓｓと受信したＰａｓｓとで照合を行い、一致した場合ログインを許可する。ログイン状態になった場合、携帯端末は、インターネットサーバに格納されている各情報のページを閲覧することができる。これにより、容易に情報を提供することができる情報提供システム、及び情報提供方法を提供することができる。
【００８２】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００８３】
例えば、本実施形態では、定期券のＩＣカード７を発行する際に二次元コードを印字したレシート６を発行するとして説明したが、これに限定されない。残額確認及び利用履歴の照会を除くページに限定すれば、例えば、磁気乗車券発行時にインターネットサーバ４に乗車券情報に応じたサイトを作成し、そのサイトのＵＲＬを二次元コードのイメージで印字したレシートを発行する構成であってもよい。
【００８４】
また、本実施形態の携帯端末５は、二次元コードを撮像することによりＵＲＬを取得する構成として説明したが、これに限定されない。例えば、操作入力部５２によりＵＲＬを入力する構成であってもよい。
【００８５】
また、本実施形態では、定期券発行機１によりＩＣカード７及びレシート６を発行する構成として説明したがこれに限定されない。例えば、磁気乗車券の券売機により磁気乗車券を発行する場合に、レシート６を発行する構成であってもよい。また、インターネットサーバ４に作成するサイトを残額確認及び利用履歴の照会のみに限定すれば、ＩＣカード７は定期券に限定されない。即ち、定期券情報を持たないストアードフェアカードでも本発明は実現可能である。
【００８６】
またさらに、本実施形態では、改札機２によりＩＣカード７を処理した場合にＩＤサーバ３の残額情報及び利用履歴を更新するとして説明したが、これに限定されない。例えば、券売機によりＩＣカード７に料金をチャージした場合にもＩＤサーバ３の残額情報及び利用履歴を更新するようにしてもよい。
【図面の簡単な説明】
【００８７】
【図１】図１は、本発明の一実施形態に係る情報提供システムの構成例について説明する為の図である。
【図２】図２は、図１に示す定期券発行機により発行されるレシートについて説明する為の説明図である。
【図３】図３は、図１に示す定期券発行機の構成例について説明するためのブロック図である。
【図４】図４は、図１に示す自動改札機の構成例について説明するためのブロック図である。
【図５】図５は、図１に示すＩＤサーバに記憶されているデータの構成例について説明する為の説明図である。
【図６】図６は、図１に示す携帯端末の構成例について説明するためのブロック図である。
【図７】図７は、図１に示す情報提供システムの各構成において行われる処理を説明するためのシーケンスである。
【図８】図８は、図１に示す情報提供システムの各構成において行われる処理を説明するためのシーケンスである。
【図９】図９は、利用者にＩＤ及びＰａｓｓを入力させる為のログイン画面である。
【図１０】図１０は、利用者にメニューを選択させる為のメニュー画面である。
【図１１】図１１は、利用者に残額情報及び利用履歴を提供する為の履歴照会＆残額照会画面である。
【符号の説明】
【００８８】
１…定期券発行機、２…改札機、３…ＩＤサーバ、４…インターネットサーバ、５…携帯端末、６…レシート、７…ＩＣカード、７ａ…内部メモリ、１１…制御部、１２…表示部、１３…操作入力部、１４…ＩＣリーダライタ、１５…発行部、１６…印刷部、１７…通信部、２１…制御部、２３…ＩＣカード処理部、２４…送受信部、２６…メモリ、２７…通信部、２８…通行制御部、２９…表示部、５１…制御部、５２…操作入力部、５３…表示部、５４…撮像部、５５…通信部、６１…文字列、６２…文字列、６３…イメージ、１００…情報提供システム。
【図１】
2010134783.tif 000003
【図２】
2010134783.tif 000004
【図３】
2010134783.tif 000005
【図４】
2010134783.tif 000006
【図５】
2010134783.tif 000007
【図６】
2010134783.tif 000008
【図７】
2010134783.tif 000009
【図８】
2010134783.tif 000010
【図９】
2010134783.tif 000011
【図１０】
2010134783.tif 000012
【図１１】
2010134783.tif 000013